【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
電子写真方式等の画像形成装置における用紙搬送装置であって、用紙を用紙積載部から送り出すための給紙ローラと、用紙を１枚に分離するための分離手段と、給紙ローラより下流に設けられた用紙を搬送するための用紙搬送手段と、用紙搬送手段より下流に設けたレジスト手段と、を設けた用紙搬送装置において、
前記分離手段以降且つ前記レジスト手段以前の用紙搬送路中に設けた前記用紙の有無を判別する連れ送り検知センサと、前記用紙を連続して搬送する場合に先行する用紙の後端が前記連れ送り検知センサを抜けると予測されるタイミングにて前記連れ送り検知センサの出力信号を確認し、このとき前記連れ送り検知センサが用紙の存在を検知した場合に前記連れ送り検知センサより上流に設けた前記用紙搬送手段の用紙搬送速度を遅くする制御部と、を備えたことを特徴とする用紙搬送装置。
【請求項２】
前記制御部は、前記用紙を連続して搬送する場合に、先行する用紙の後端が前記連れ送り検知センサを抜けると予測されるタイミングにて前記連れ送り検知センサの出力信号を確認し、このとき前記連れ送り検知センサが用紙の存在を検知した場合に、前記連れ送り検知センサより上流に設けた前記用紙搬送手段による後行用紙の搬送速度を一旦遅くした後に、元の用紙搬送速度に戻すことを特徴とする請求項１記載の用紙搬送装置。
【請求項３】
先行する用紙の後端が、前記連れ送り検知センサを抜けると予測されるタイミングとは、前記連れ送り検知センサより下流の用紙搬送路中に設けられた用紙の有無を判別する用紙位置センサにより先行する用紙の先端が検知された後の経過時間と用紙長さの情報から求められるタイミングであることを特徴とする請求項１記載の用紙搬送装置。
【請求項４】
先行する用紙の後端が、前記連れ送り検知センサを抜けると予測されるタイミングとは、前記連れ送り検知センサより下流の用紙搬送路中に設けられた用紙の有無を判別する用紙位置センサにより先行する用紙の先端が検知された後、前記連れ送り検知センサより下流に設けられた前記用紙搬送手段の回転量と用紙長さの情報から求められるタイミングであることを特徴とする請求項１記載の用紙搬送装置。
【請求項５】
先行する用紙の後端が前記連れ送り検知センサを抜けると予測されるタイミングとは、前記用紙搬送路中に設けられた用紙先端がそのローラに達した際には駆動が停止しており、用紙先端がローラに達した後に駆動がオンとなるよう設けられた用紙先端位置規制ローラにおいて、用紙先端が前記用紙先端位置規制ローラに達した後で前記用紙先端位置規制ローラの駆動がオンとなってからの経過時間と用紙長さの情報から求められるタイミングであることを特徴とする請求項１記載の用紙搬送装置。
【請求項６】
先行する用紙の後端が連れ送り検知センサを抜けると予測されるタイミングとは、前記用紙搬送路中に設けられた用紙先端がそのローラに達した際には駆動が停止しており、用紙先端がローラに達した後に駆動がオンとなるよう設けられた用紙先端位置規制ローラにおいて、用紙先端が用紙先端位置規制ローラに達した後前記用紙先端位置規制ローラの駆動がオンとなってからの用紙先端位置規制ローラの回転量と用紙長さの情報から求められるタイミングであることを特徴とする請求項１記載の用紙搬送装置。
【請求項７】
前記用紙先端位置規制ローラとは、画像と用紙先端位置とを合わせるためのレジストローラであることを特徴とする請求項３または４記載の用紙搬送装置。
【請求項８】
請求項１乃至７の何れか一項に記載の用紙搬送装置を備えたことを特徴とする画像形成装置。
【手続補正２】
【補正対象書類名】明細書
【補正対象項目名】０００６
【補正方法】変更
【補正の内容】
【０００６】
上記目的を達成するために、請求項１記載の発明は、電子写真方式等の画像形成装置における用紙搬送装置であって、用紙を用紙積載部から送り出すための給紙ローラと、用紙を１枚に分離するための分離手段と、給紙ローラより下流に設けられた用紙を搬送するための用紙搬送手段と、用紙搬送手段より下流に設けたレジスト手段と、を設けた用紙搬送装置において、前記分離手段以降且つ前記レジスト手段以前の用紙搬送路中に設けた前記用紙の有無を判別する連れ送り検知センサと、前記用紙を連続して搬送する場合に先行する用紙の後端が前記連れ送り検知センサを抜けると予測されるタイミングにて前記連れ送り検知センサの出力信号を確認し、このとき前記連れ送り検知センサが用紙の存在を検知した場合に前記連れ送り検知センサより上流に設けた前記用紙搬送手段の用紙搬送速度を遅くする制御部と、を備えたことを特徴とする。
請求項２記載の発明は、請求項１記載の用紙搬送装置において、前記制御部は、前記用紙を連続して搬送する場合に、先行する用紙の後端が前記連れ送り検知センサを抜けると予測されるタイミングにて前記連れ送り検知センサの出力信号を確認し、このとき前記連れ送り検知センサが用紙の存在を検知した場合に、前記連れ送り検知センサより上流に設けた前記用紙搬送手段による後行用紙の搬送速度を元の用紙搬送速度に戻すことを特徴とする。
請求項３記載の発明は、請求項１記載の用紙搬送装置において、先行する用紙の後端が、前記連れ送り検知センサを抜けると予測されるタイミングとは、前記連れ送り検知センサより下流の用紙搬送路中に設けられた用紙の有無を判別する用紙位置センサにより先行する用紙の先端が検知された後の経過時間と用紙長さの情報から求められるタイミングであることを特徴とする。
【手続補正３】
【補正対象書類名】明細書
【補正対象項目名】０００７
【補正方法】変更
【補正の内容】
【０００７】
請求項４記載の発明は、請求項１記載の用紙搬送装置において、先行する用紙の後端が、前記連れ送り検知センサを抜けると予測されるタイミングとは、前記連れ送り検知センサより下流の用紙搬送路中に設けられた用紙の有無を判別する用紙位置センサにより先行する用紙の先端が検知された後、前記連れ送り検知センサより下流に設けられた前記用紙搬送手段の回転量と用紙長さの情報から求められるタイミングである請求項１記載の用紙搬送装置を特徴とする。
請求項５記載の発明は、請求項１記載の用紙搬送装置において、先行する用紙の後端が前記連れ送り検知センサを抜けると予測されるタイミングとは、前記用紙搬送路中に設けられた用紙先端がそのローラに達した際には駆動が停止しており、用紙先端がローラに達した後に駆動がオンとなるよう設けられた用紙先端位置規制ローラにおいて、用紙先端が前記用紙先端位置規制ローラに達した後前記用紙先端位置規制ローラの駆動がオンとなってからの経過時間と用紙長さの情報から求められるタイミングであることを特徴とする。
請求項６記載の発明は、請求項１記載の用紙搬送装置において、先行する用紙の後端が連れ送り検知センサを抜けると予測されるタイミングとは、前記用紙搬送路中に設けられた用紙先端がそのローラに達した際には駆動が停止しており、用紙先端がローラに達した後に駆動がオンとなるよう設けられた用紙先端位置規制ローラにおいて、用紙先端が用紙先端位置規制ローラに達した後前記用紙先端位置規制ローラの駆動がオンとなってからの用紙先端位置規制ローラの回転量と用紙長さの情報から求められるタイミングであることを特徴とする。
【手続補正４】
【補正対象書類名】明細書
【補正対象項目名】０００８
【補正方法】変更
【補正の内容】
【０００８】
請求項７記載の発明は、請求項３または４記載の用紙搬送装置において、前記用紙先端位置規制ローラとは、画像と用紙先端位置とを合わせるためのレジストローラであることを特徴とする。
請求項８記載の発明は、請求項１乃至５の何れか一項に記載の用紙搬送装置を備えた画像形成装置にある。